(57)【要約】【課題】本発明は、改良された色相イメージ表示装置および方法を有する移動通信端末機に関する。【解決手段】本発明は、人間の色相認知特性によって、改善されたマッピングテーブルの構造を提供して、色相イメージ情報を表示部に出力することで、少量のデータでも色相イメージ具現が可能なイメージ表示装置および方法を有する移動通信端末機に関する。【選択図】図５
2006146245.tif 000002
【特許請求の範囲】
【請求項１】
移動通信端末機において、
人間が赤色、緑色、青色の中で緑色成分をもっとも敏感に認知する色相知覚特性を考慮して、原本色相イメージの赤色、緑色、青色成分の比率を予め設定するマッピングテーブルを格納するメモリと、
前記原本色相イメージを前記マッピングテーブルに相応する色相イメージ情報にマッピングし、前記マッピングされたそれぞれの色相イメージ情報を組み合わせる制御部と、
前記組み合わせられた色相イメージ情報を視覚的に表示する表示部と、を含むことを特徴とする移動通信端末機。
【請求項２】
前記マッピングテーブルの赤色、緑色、青色の各色相情報の量の比率は３：６：１であることを特徴とする請求項１に記載の移動通信端末機。
【請求項３】
前記マッピングテーブルの赤色、緑色、青色の各色相情報をそれぞれ７ｂｉｔ、８ｂｉｔ、６ｂｉｔに圧縮することを特徴とする請求項１に記載の移動通信端末機。
【請求項４】
前記マッピングテーブルの赤色、緑色、青色の各色相情報をそれぞれ６ｂｉｔ、８ｂｉｔ、６ｂｉｔに圧縮することを特徴とする請求項１に記載の移動通信端末機。
【請求項５】
前記マッピングテーブルはガモット(Gamut)マッピングテーブルであることを特徴とする請求項１に記載の移動通信端末機。
【請求項６】
前記表示部は液晶表示部であることを特徴とする請求項１に記載の移動通信端末機。
【請求項７】
移動通信端末機において、
周辺環境の色情報と光量を測定するカラーセンサーと、
人間が赤色、緑色、青色の中で緑色成分をもっとも敏感に認知する色相知覚特性を考慮して、原本色相イメージの赤色、緑色、青色成分の比率を予め設定するマッピングテーブルと、人間が赤色、緑色、青色の中で緑色成分をもっとも敏感に認知する色相知覚特性を考慮して、前記カラーセンサーから出力された周辺環境の色情報と光量情報に基づいて、前記マッピングテーブルによってマッピングされたイメージ色相情報の赤色、緑色、青色成分の比率を予め設定するカラーセンサーマッピングテーブルと、を格納するメモリと、
前記原本色相イメージを前記マッピングテーブルに相応する色相イメージ情報にマッピングし、マッピングされた色相イメージ情報を、カラーセンサーマッピングテーブルに相応する色相イメージ情報にマッピングし、前記マッピングされたそれぞれの色相イメージ情報を組み合わせる制御部と、
前記組み合わせられた色相イメージ情報を表示する表示部と、を含むことを特徴とする移動通信端末機。
【請求項８】
前記マッピングテーブルまたは前記カラーセンサーマッピングテーブルの赤色、緑色、青色の各色相情報の量の比率は３：６：１であることを特徴とする請求項７に記載の移動通信端末機。
【請求項９】
前記マッピングテーブルまたは前記カラーセンサーマッピングテーブルの赤色、緑色、青色の各色相情報をそれぞれ７ｂｉｔ、８ｂｉｔ、６ｂｉｔに圧縮することを特徴とする請求項７に記載の移動通信端末機。
【請求項１０】
前記マッピングテーブルまたは前記カラーセンサーマッピングテーブルの赤色、緑色、青色の各色相情報をそれぞれ６ｂｉｔ、８ｂｉｔ、６ｂｉｔに圧縮することを特徴とする請求項７に記載の移動通信端末機。
【請求項１１】
前記マッピングテーブルはガモット(Gamut)マッピングテーブルであることを特徴とする請求項７に記載の移動通信端末機。
【請求項１２】
前記表示部は液晶表示部であることを特徴とする請求項７に記載の移動通信端末機。
【請求項１３】
移動通信端末機の色相イメージ表示方法において、
人間が赤色、緑色、青色の中で緑色成分をもっとも敏感に認知する色相知覚特性を考慮して、原本色相イメージ情報の赤色、緑色、青色成分の比率を予め決定するマッピングテーブルの設定段階と、
前記原本色相イメージを前記マッピングテーブルに相応する色相イメージ情報にマッピングし、前記マッピングされたそれぞれの色相イメージ情報を組み合わせる段階と、
前記組み合わせられた色相イメージ情報を表示する段階と、を含むことを特徴とする移動通信端末機の色相イメージ表示方法。
【請求項１４】
前記マッピングテーブルの赤色、緑色、青色の各色相情報の量の比率は３：６：１であることを特徴とする請求項１３に記載の移動通信端末機の色相イメージ表示方法。
【請求項１５】
前記マッピングテーブルの赤色、緑色、青色の各色相情報をそれぞれ７ｂｉｔ、８ｂｉｔ、６ｂｉｔに圧縮することを特徴とする請求項１３に記載の移動通信端末機の色相イメージ表示方法。
【請求項１６】
前記マッピングテーブルの赤色、緑色、青色の各色相情報をそれぞれ６ｂｉｔ、８ｂｉｔ、６ｂｉｔに圧縮することを特徴とする請求項１３に記載の移動通信端末機の色相イメージ表示方法。
【請求項１７】
移動通信端末機の色相イメージ表示方法において、
周辺環境の色情報と光量を測定するカラーセンシング段階と、
人間が赤色、緑色、青色の中で緑色成分をもっとも敏感に認知する色相知覚特性を考慮して、原本色相イメージ情報の赤色、緑色、青色成分の比率を予め設定するマッピングテーブル設定段階と、
カラーセンサーから出力された周辺環境の色情報と光量情報に基づいて、人間が赤色、緑色、青色の中で緑色成分をもっとも敏感に認知する色相知覚特性を考慮して、前記マッピングされたイメージ色相情報の赤色、緑色、青色成分の比率を予め設定するカラーセンサーマッピングテーブル設定段階と、
前記原本色相イメージを前記マッピングテーブルに相応する色相イメージ情報にマッピングし、前記マッピングされた色相イメージ情報を前記カラーセンサーマッピングテーブルに相応する色相イメージ情報にマッピングし、前記マッピングされたそれぞれの色相イメージ情報を組み合わせる段階と、
前記組み合わせられた色相イメージ情報を表示する段階と、を含むことを特徴とする移動通信端末機の色相イメージ表示方法。
【請求項１８】
前記マッピングテーブルまたは前記カラーセンサーマッピングテーブルの赤色、緑色、青色の各色相情報の量の比率は３：６：１であることを特徴とする請求項１７に記載の移動通信端末機の色相イメージ表示方法。
【請求項１９】
前記マッピングテーブルまたは前記カラーセンサーマッピングテーブルの赤色、緑色、青色の各色相情報をそれぞれ７ｂｉｔ、８ｂｉｔ、６ｂｉｔに圧縮することを特徴とする請求項１７に記載の移動通信端末機の色相イメージ表示方法。
【請求項２０】
前記マッピングテーブルまたは前記カラーセンサーマッピングテーブルの赤色、緑色、青色の各色相情報をそれぞれ６ｂｉｔ、８ｂｉｔ、６ｂｉｔに圧縮することを特徴とする請求項１７に記載の移動通信端末機の色相イメージ表示方法。
【発明の詳細な説明】
【技術分野】
【０００１】
本発明は、改良された色相イメージ(color image)表示装置および方法を有する移動通信端末機に関し、特に、人間の色相認知特性を考慮して、ＹＵＶ方式を用いた、改善されたマッピングテーブルの構造を提供して、色相イメージ情報を表示部に出力することで、少量のデータでも色相イメージ具現が可能な色相イメージ表示装置および方法を有する移動通信端末機に関する。
【０００２】
以下、色相イメージデータ、色相イメージ情報、色情報、色相情報は、全て同一な意味を有する用語として使用される。なお、色と色相は、同一な意味を有する用語として使用される。
【背景技術】
【０００３】
一般に、移動通信システムは使用者に音声通話を提供する手段として使用されてきたが、今は使用者に多様なサービスを提供する形態に発展し、メールや写真または動画像サービスおよびモバイルバンキングのようなデータサービスも提供している。したがって、使用者が移動通信端末機の表示部を通じて多様なイメージに接する機会も多くなった。
しかしながら、表示部が有する色相再現能力と原本イメージの色情報との違いのため、表示部に出力されるイメージが歪曲されて出力されることが発生する。すなわち、移動通信端末機に備えられた表示部が表現できる色の限界のため、原本色情報をうまく表現できない。
よって、原本イメージが有する色相領域と表示部が有する色再現能力との差を補正する方法が要求される。
表示部の色相再現能力は、多種類の移動通信端末機それぞれの表示部によって異なるので、各端末機ごとにマッピングテーブルを備え、原本イメージの色情報を表示部にマッピングして、最大限の自然なイメージを出力できるようになった。このようなマッピングテーブルをガモット(Gamut)マッピングテーブルと称する。
【０００４】
このように、移動通信端末機に備えられた表示部が表現できる色の限界によって、原本色情報をうまく表現できなくなる状況を、添付の図１を参照して説明する。
図１は、ＴＶやコンピュータのように、相対的に大きいサイズの一般のディスプレイ装置および移動通信端末機に備えられた表示部の色相再現範囲を図示した図面である。図１において、参照符号１００は一般のディスプレイ装置の色相再現範囲を示し、参照符号１０２は移動通信端末機に備えられた表示部の色相再現範囲を示し、参照符号１０４は移動通信端末機の表示部で再現できない色の範囲を示す。Ｒ、Ｇ、Ｂは各々光の三原色の赤、緑、青を意味する。
一般のディスプレイ装置は赤(Red：以下、Ｒと呼ぶ)、緑(Green：以下、Ｇと呼ぶ)、青(Blue：以下、Ｂと呼ぶ)の殆どを表現できるが、図１に図示したように、移動通信端末機に備えられた表示部は、一般のディスプレイ装置に比べてサイズが小さいので、人間の色相知覚能力の限界によって、具現できる色相が限られている。
したがって、図１の参照符号１０４に該当する領域に対する色相情報を、移動通信端末機の表示部に自然に具現するためには、ガモット(Gamut)マッピングという方式を用いて、原本イメージを移動通信端末機の表示部に視覚的に再現する。ガモットマッピングとは、原本イメージの色情報と移動通信端末機の表示部が有する色再現能力との差を補償する方法を意味する。このようなガモットマッピングの例を、添付の図２を参照して説明する。
【０００５】
図２は、原本イメージの色をガモットマッピングテーブルを用いて変換する例を図示している。図２の参照符号２００は、原本イメージデータをそれぞれＲ、Ｇ、Ｂ値で分類したもので、参照符号２０２は、原本イメージデータをそれぞれ、ディスプレイ装置が有する色再現能力に対するデータを用いて、１：１にマッピングしたものを示す。例えば、移動通信端末機は、参照符号２０４の原本イメージデータ値Ｒ：５１、Ｇ：５１、Ｂ：０を、参照符号２０６の表示部に出力されるデータ値Ｒ：３９、Ｇ：５３、Ｂ：０にマッピングして出力する。ここで、図２はガモットマッピングに対する一例を図示しただけであって、実際ガモットマッピングの適用は、ディスプレイ装置の色再現能力によって異なる。
【０００６】
最近、ディスプレイ装置の発展によって、移動通信端末機においてもＱＶＧＡ(Quarter Video Graphics Array)(320 pixel X 240 pixel)級のディスプレイ装置の装着が普遍化されている。そして、２６万カラー以上の色相表現能力を有する小型ディスプレイ装置も広く普及され、それ以上に色相表現能力の優れたディスプレイ装置もよく見掛ける。
既存のガモットマッピング方式を適用すると、前記のＱＶＧＡ、２６万カラーの場合にも多量のデータを必要とする。これについて説明する。
ＲＧＢで構成された一つの構成要素を、もう一つのＲＧＢで構成される構成要素にマッピングするのに必要なガモットマッピングテーブルのサイズは、次の［数１］のように計算できる。ＲＧＢをそれぞれ８Ｂｉｔ(２５６の場合の数を有する)に表現される場合と仮定する。
【０００７】
【数１】
2006146245.tif 000003
【０００８】
すなわち、このときの場合の数は２５６の三乗になり、略１６００万程度の値を有する。このような値を表現するためには、サイズ１６００万(１６Ｍ)のマッピングテーブルが必要となる。
もし、ＲＧＢそれぞれを６Ｂｉｔ(６４の場合の数を有する)に表現する場合には、２６＝６４種類の色で表現され、６４の三乗は略２６万カラーになる。
今までは一般的に移動通信端末機の場合、ディスプレイ装置のサイズが小さく、モニタに要求するほどの正確な色再現力までは要求しない実情なので、２６万カラーでもそれほど問題になってはいない。
【０００９】
しかし、今後衛星ＤＭＢ(digital media broadcasting)など、放送サービスが実施されるによって、より正確な色再現力が要求されると予想される。
よって、色再現力を有するマッピングテーブルが必要とされるが、このようなテーブルは、前述したように、サイズが非常に大きくなる問題がある。カラーを表現するためのマッピングテーブルのサイズが大きくなると、このテーブルデータを格納するために、メモリの多くの部分を割り当てて、メモリの不足現状をもたらす。
したがって、今まで使用している、ディスプレイ装置が有する色再現能力に対するデータを用いて、原本イメージデータのそれぞれを１：１にマッピングする方式を改善して、マッピングテーブルのサイズを小さくすることができる方法および装置が必要とされる。
【発明の開示】
【発明が解決しようとする課題】
【００１０】
本発明の目的は、使用者に色相イメージ情報を表示する装置および方法を有する移動通信端末機を提供することにある。
本発明のほかの目的は、人間の色相知覚特性を用いて原本色相イメージを表示することにおいて、小さいサイズのマッピングテーブルを有する色相表示装置および方法を含む移動通信端末機を提供することにある。
本発明のまたほかの目的は、周辺環境の色情報を考慮するためのカラーセンサーを有する移動通信端末機において、人間の色相知覚特性を用いて原本色相イメージを表示することにおいて、小さいサイズのマッピングテーブルを有する色相表示装置および方法を含む移動通信端末機を提供することにある。
【課題を解決するための手段】
【００１１】
前記の目的を達成するために本発明の装置は、人間が赤色、緑色、青色の中で緑色成分をもっとも敏感に認知する色相知覚特性を考慮して、原本色相イメージの赤色、緑色、青色成分の比率を予め設定するガモット(Gamut)マッピングテーブルを格納するメモリと、原本色相イメージをガモットマッピングテーブルに相応する色相イメージ情報にマッピングし、マッピングされたそれぞれの色相イメージ情報を組み合わせて下記の表示部に出力する制御部と、組み合わせられた色相イメージ情報を視覚的に表示する表示部と、を含むことを特徴とする移動通信端末機を提供する。
【００１２】
前記の目的を達成するために本発明のほかの装置は、周辺環境の色情報と光量を測定するカラーセンサーと；人間が赤色、緑色、青色の中で緑色成分をもっとも敏感に認知する色相知覚特性を考慮して、原本色相イメージの赤色、緑色、青色成分の比率を予め設定するガモット(Gamut)マッピングテーブルと、人間が赤色、緑色、青色の中で緑色成分をもっとも敏感に認知する色相知覚特性を考慮して、カラーセンサーから出力された周辺環境の色情報と光量情報に基づいて、ガモットマッピングテーブルによってマッピングされたイメージ色相情報の赤色、緑色、青色成分の比率を予め設定するカラーセンサーマッピングテーブルと、を格納するメモリと；原本色相イメージをガモットマッピングテーブルに相応する色相イメージ情報にマッピングし、マッピングされた色相イメージ情報を、カラーセンサーマッピングテーブルに相応する色相イメージ情報にマッピングし、マッピングされたそれぞれの色相イメージ情報を組み合わせて下記の表示部に出力する制御部と；組み合わせられた色相イメージ情報を視覚的に表示する表示部と；を含むことを特徴とする移動通信端末機を提供する。
【００１３】
前記の目的を達成するために本発明の方法は、人間が赤色、緑色、青色の中で緑色成分をもっとも敏感に認知する色相知覚特性を考慮して、原本色相イメージ情報の赤色、緑色、青色成分の比率を予め設定する段階と、原本色相イメージをガモットマッピングテーブルに相応する色相イメージ情報にマッピングし、マッピングされたそれぞれの色相イメージ情報を組み合わせて出力する段階と、組み合わせられた色相イメージ情報を視覚的に表示する段階と、を含むことを特徴とする移動通信端末機の色相イメージ表示方法を提供する。
【００１４】
前記の目的を達成するために本発明の方法は、周辺環境の色情報と光量を測定するカラーセンシング段階と、人間が赤色、緑色、青色の中で緑色成分をもっとも敏感に認知する色相知覚特性を考慮して、原本色相イメージ情報の赤色、緑色、青色成分の比率を予め設定するガモット(Gamut)マッピングテーブル設定段階と、カラーセンサーから出力された周辺環境の色情報と光量情報に基づいて、人間が赤色、緑色、青色の中で緑色成分をもっとも敏感に認知する色相知覚特性を考慮して、ガモットマッピングされたイメージ色相情報の赤色、緑色、青色成分の比率を予め設定するカラーセンサーマッピングテーブル設定段階と、原本色相イメージをガモットマッピングテーブルに相応する色相イメージ情報にマッピングし、マッピングされた色相イメージ情報をカラーセンサーマッピングテーブルに相応する色相イメージ情報にマッピングし、マッピングされたそれぞれの色相イメージ情報を組み合わせる段階と、組み合わせられた色相イメージ情報を視覚的に表示する段階と、を含むことを特徴とする移動通信端末機の色相イメージ表示方法を提供する。
【００１５】
本発明の目的を達成するために、前記の実施形態の変更、構成要素の追加などが可能である。なお、ほかの実施形態で行うことも可能である。
【発明の効果】
【００１６】
本発明は、人間の色相認知特性を考慮して改善されたマッピングテーブルの構造を提供して、色相イメージデータ(情報)を表示部に出力する。よって、少量のデータを有するマッピングテーブルを用いて、人間が認知する色相情報に変化のない色相イメージの具現ができる。
さらに、色相イメージ情報の増加にもかかわらず、メモリを増大させず色相イメージ表示が可能になることで、移動通信端末機のメモリ活用度を高めることができる。
【発明を実施するための最良の形態】
【００１７】
以下、添付の図面を参照して、本発明の好ましい実施形態を詳細に説明する。そして、本発明を説明するにおいて、関連する公知機能或いは構成に対する具体的な説明が、本発明の要旨を不必要に混乱させる可能性があると判断される場合、その詳細な説明は省略する。
【００１８】
本発明の実施形態に係るイメージ表示装置および方法を有する移動通信端末機は、表示装置として一般のディスプレイ装置を備えた全ての移動通信端末機に適用できる。ただし、以下の説明では、表示装置として液晶ディスプレイ(ＬＣＤ；liquid crystal display)を備えた携帯電話端末機を、移動通信端末機の例として説明する。
人間が色相を知覚する原理は、視細胞の光の強度を感知する程度に基づく。これを定量化した値で表現することには色々な方式がある
【００１９】
代表的な例として、それぞれの色成分が有するＲＧＢ(Red、Green、Blue)値を用いる方法がある。色相はＲＧＢの組み合わせからなり、人間はこれの強弱によって被写体の固有の色相を認知する。
ほかの例としてはＹＵＶ方式がある。ＹＵＶ方式は、人間の目が色相自体よりは明るさに敏感だということに着眼する。この方式は、色を明るさ(Luminance)を構成するＹ成分と、色相(Chrominance)を構成するＵとＶ成分と、で区分する。ＹＵＶ方式もＲＧＢと同様に、特定の色の表現方式である。
ＹＵＶ方式とＲＧＢ方式との間には、下記の［数２］のような対応公式が成立することが知られている。
【００２０】
【数２】
2006146245.tif 000004
【００２１】
前述したように、人間の目は光に対して敏感に反応するため、ＹＵＶ方式で該当色相情報を表現するときには、Ｙ：Ｕ：Ｖは１：１：１にするのでなく、ＵＶ成分に比べてＹ成分の比重を大きくする。
すなわち、Ｙ：Ｕ：Ｖ＝４：２：２の比重(Weighting)にして表現する。人間が色相を知覚するとき、明るさ成分のＹに対してもっとも敏感なので、Ｙの比重をＵＶに比べて高くするのである。
［数２］で、Ｙを求める第１の式を見ると、ＲＧＢ値の係数が異なるが、これは人間の視細胞が緑色に敏感だからである。すなわち、人間の色相知覚特性を考慮してＹ成分を求めることを示す。
【００２２】
ＲＧＢをＹＵＶに変換するための［数２］で、Ｒ：Ｇ：Ｂ＝３：６：１の比率に着眼する。すなわち、人間が敏感に反応しない色の情報を人間が知覚できない範囲内で圧縮する方式を用いて、各色相の敏感度を把握する。添付の図３を参照して、これについて説明する。
図３（ａ）は、原本イメージ写真である。図３（ｂ）は、原本イメージの赤、緑、青成分全体を圧縮した場合のイメージ変化を示す写真であって、図３（ｃ）、（ｄ）、（ｅ）は、各々、原本イメージの赤、緑、青成分を圧縮した場合のイメージ変化を示す写真である。
具体的には、図３（ｂ）は、原本イメージの全体チャンネル(ＲＧＢ)成分をブロックサイズ１０で圧縮したイメージである。図３（ｃ）は、図３（ａ）のＲ成分だけブロックサイズ１０で圧縮したイメージで、図３（ｄ）は、Ｇ成分だけブロックサイズ１０で圧縮したイメージで、図３（ｅ）は、Ｂ成分だけブロックサイズ１０で圧縮したイメージである。
図３（ｃ）から（ｅ）を参照すると、Ｇを圧縮した図３（ｄ）が、もっとも歪んでいることが分かる。反面、Ｂを圧縮した図３（ｅ）は、イメージの変化が非常に少ないことが分かる。
［数２］と図３のように、人間の視細胞はＧ、Ｒ、Ｂの順番で反応し、［数２］のＹ成分のように、ＲＧＢにそれぞれ約３：６：１の比率で反応する。
【００２３】
図４は、本発明の実施形態によって人間の色相認知特性を考慮したマッピングテーブルを示す図面である。参照符号４００は、ＲＧＢカラーを各々０から２５５までの数字で表現したマッピングテーブルを示す。参照符号４０２は、表４００のＲＧＢを各々７ｂｉｔ、８ｂｉｔ、６ｂｉｔにマッピングした表を示す。
図４を参照すると、ガモットマッピングテーブルの作成時に、［数１］に示されたように、ＲＧＢをＹＵＶ方式に変換する過程で人間の色相知覚特性によって、ＲＧＢ各々の比率を約３：６：１にする。すなわち、Ｇ値は原本データのサイズに変化を与えず、８ｂｉｔのテーブルを有する。そして、Ｒ値とＢ値は各々７ｂｉｔと６ｂｉｔ程度を割り当てる。これは、同量のデータ変化なら、人間の視細胞は緑色をもっとも認知しやすいという事実を考慮したことである。なお、同量のデータ変化で、赤色は青色よりは認知しやすく、緑色に比べては変化を少なく認知する。
【００２４】
本発明によると、ガモットマッピングテーブルは人間の知覚特性を用いて構成される。もちろん、実際には移動通信端末機それぞれのディスプレイ装置が有する特性も考慮する必要がある。したがって、装置の特性によって、マッピングテーブルのＲＧＢ成分をそれぞれ７ｂｉｔ：８ｂｉｔ：６ｂｉｔ(１２８×２５６×６４)または６ｂｉｔ：８ｂｉｔ：６ｂｉｔ(６４×２５６×６４)に適用することが可能である。このような場合、マッピングテーブルのサイズは各々約２００万、約１００万になる。両方の場合とも、既存のサイズ約１６００万のガモットマッピングテーブルに比べて、非常にサイズが小さくなることが分かる。
よって、マッピングテーブルを格納するハードウェアであるメモリのサイズが小さくても色相イメージの表現が可能となる。すなわち、前記のような方法を用いて、人間が色相を知覚する部分には影響を与えず、ハードウェアの側面で大きい利得を得られる。
【００２５】
以下、添付の図面を参照して、本発明による移動通信端末機の構造を説明する。図５は、本発明の実施形態による移動通信端末機のブロック構成図である。図５を参照すると、移動通信端末機は、カラーセンサー５００、制御部５０２、表示部５０４、メモリ５０６、キーパッド(key pad)５０８、アンテナ５１０、ＲＦモジュール(Radio Frequency module)５１２、基底帯域処理部５１４、コーデック５１６、マイク５１８、およびスピーカ５２０を含む。
【００２６】
カラーセンサー５００は、周辺の光量および色情報を測定して、光の三原色である赤(Red：以下、Ｒと呼ぶ)、緑(Green：以下、Ｇと呼ぶ)、青(Blue：以下、Ｂと呼ぶ)を色固有の波長の差を用いて区別し、その量をアナログやデジタル値として制御部５０２に出力する。前記カラーセンサーは存在することもしないこともある。
メモリ５０６には、移動通信端末機の一般的な動作を制御するためのプログラムおよび、原本色相イメージ情報を明るさ(Luminance)成分と色相(chrominance)成分とで区分する色相表現方式を用いて、予め設定された赤色、緑色、青色の各色相情報の量の比率を決定するマッピングテーブルが格納される。すなわち、メモリには、人間の知覚特性に基づいたＹＵＶ方式のマッピングテーブルが格納される。なお、カラーセンサーが存在する場合には、付加的に、人間の知覚特性に基づいたＹＵＶ方式のカラーセンサーマッピングテーブルが格納されることができる。
制御部５０２は、移動通信端末機の全般的な動作を制御する。色相イメージ処理において、原本色相イメージをメモリに格納されているマッピングテーブルに相応する色相イメージ情報にマッピングし、マッピングされたそれぞれの色相イメージ情報を組み合わせて表示部に出力する。
さらに、カラーセンサーが存在する場合には、制御部５０２は、カラーセンサー５００を介して入力された周辺色情報に基づいて、メモリ５０６に格納されたマッピングテーブルのマッピング方法で、表示部５０４を介して使用者に最適のイメージを提供する。
表示部５０４は、制御部５０２から出力される色々な信号と色情報を視覚的に表示する。前記表示部５０４としては液晶ディスプレイ(ＬＣＤ)を使用する。
【００２７】
図６は本発明の実施形態によって、人間の色相認知特性を考慮したガモットマッピングテーブルを用いて、色相イメージデータ(情報)を表示部に出力する方法を図示したフローチャートである。
段階６００で、制御部５０２は、使用者によって移動通信端末機の表示部５０４に出力されるイメージがあるかを検査する。その結果、表示部５０４に出力されるイメージがある場合、段階６０２で、制御部５０２はメモリ５０６に格納されたガモットマッピングテーブルによって出力されるイメージそれぞれのＲ、Ｇ、Ｂをマッピングする。例えば、マッピングテーブルのＲＧＢがそれぞれ７Ｂｉｔ：８Ｂｉｔ：６Ｂｉｔ(１２８×２５６×６４)に構成される場合、ガモットマッピングテーブルのサイズは約２Ｍである。
段階６０４で、制御部５０２はガモットマッピングテーブルを用いてマッピングされたＲ、Ｇ、Ｂ値を組み合わせ、６０６段階で制御部５０２は組み合わせられた値を表示部５０４に出力する。よって、人間が知覚する色相情報が変化せず、小さいサイズのガモットマッピングテーブルを用いて、色相イメージが使用者に提供される。
【００２８】
図７は、本発明の実施形態によって、カラーセンサーを有する移動通信端末機で、人間の色相認知特性を考慮したガモットマッピングテーブルとカラーセンサーマッピングテーブルを用いて、色相イメージ情報を表示部に出力する方法を図示したフローチャートである。すなわち、図７で、制御部５０２は周辺色情報によって原本イメージの色情報を変換して、表示部５０４に出力する。
本実施形態では、周辺環境を考慮して周辺の色相情報と光量の変化を測定し、このような変化を考慮して原本イメージを表示する必要がある。そのような方法および装置に関しては、韓国特許出願２００４−６５８１９(発明の名称：周辺照明状態によってディスプレイの最適色組合せを決定する装置)に記載されている。
したがって、周辺環境の変化を考慮した色相イメージを表示するために、追加のマッピングテーブルが要求され、このようなマッピングテーブルをカラーセンサーマッピングテーブルと呼ぶ。前記追加マッピングテーブルにも、ガモットマッピングテーブルの圧縮方法を適用できる。
【００２９】
以下、前記のような場合を考慮した過程を説明する。
段階７００で、制御部５０２は使用者によって移動通信端末機の表示部５０４に出力されるイメージがあるかを検査する。その結果、表示部５０４に出力されるイメージがある場合、段階７０２で、制御部５０２はメモリ５０６に格納されたガモットマッピングテーブルを用いて、表示部５０４に出力されるイメージＲ、Ｇ、Ｂをそれぞれマッピングする。例えば、このようなガモットマッピングテーブルのＲＧＢは、それぞれ７Ｂｉｔ：８Ｂｉｔ：６Ｂｉｔ(１２８×２５６×６４)に構成されることができ、その場合、ガモットマッピングテーブルのサイズは約２Ｍである。
段階７０４で、制御部５０２はカラーセンサー５００からＲ、Ｇ、Ｂに分離された色情報を入力される。段階７０６で、制御部５０２は、色情報に基づき周辺環境を考慮して、ＲＧＢがそれぞれ７ｂｉｔ、８ｂｉｔ、６ｂｉｔ(１２８×２５６×６４)に圧縮されたカラーセンサーマッピングテーブルを用いて、ＲＧＢをマッピングする。
段階７０８で、制御部５０２はカラーセンサーマッピングテーブルによって出力されたＲ、Ｇ、Ｂ値を組合せ、段階７１０で、組み合わせられた値を表示部５０４に出力して、イメージを使用者に提供する。
【００３０】
本発明の詳細な説明では具体的な実施形態に対して説明したが、本発明の範囲から外れない限度内で様々な変更が可能である。したがって、本発明の範囲は説明された実施形態に限られるのではなく、特許請求の範囲だけでなく同特許請求の範囲と均等なものによって決められるべきである。
【図面の簡単な説明】
【００３１】
【図１】相対的に大きいサイズの一般のディスプレイ装置と移動通信端末機に備えられた表示部の色相再現範囲を図示した図面である。
【図２】原本イメージの色をガモットマッピングテーブルを用いて変換する例を図示した図面である。
【図３】（ａ）は原本イメージ写真、（ｂ）は原本イメージの赤、緑、青の成分全体を圧縮した場合のイメージの変化を示す写真、（ｃ）、（ｄ）、（ｅ）は原本イメージの赤、緑、青成分それぞれを圧縮した場合のイメージの変化を示す写真である。
【図４】本発明の実施形態によって人間の色相認知特性を考慮したマッピングテーブルを示す図面である。
【図５】本発明の実施形態による移動通信端末機のブロック構成図である。
【図６】本発明の実施形態によって、人間の色相認知特性を考慮したマッピングテーブルを用いて、色相イメージ情報を表示部に出力する方法を図示したフローチャートである。
【図７】本発明の実施形態によって、カラーセンサーを有する移動通信端末機で、人間の色相認知特性を考慮したマッピングテーブルを用いて、色相イメージ情報を表示部に出力する方法を図示したフローチャートである。
【符号の説明】
【００３２】
５００  カラーセンサー
５０２  制御部
５０４  表示部
５０６  メモリ
５０８  キーパッド
５１２  ＲＦモジュール
５１４  基底帯域処理部
５１６  コーデック
【図２】
2006146245.tif 000005
【図４】
2006146245.tif 000006
【図５】
2006146245.tif 000007
【図６】
2006146245.tif 000008
【図７】
2006146245.tif 000009
【図１】
2006146245.tif 000010
【図３】
2006146245.tif 000011